(57)【要約】【課題】放送番組を視聴するために用いる装置を変更して同じ放送番組を引き続き視聴する際の操作の煩雑さを軽減する。【解決手段】テレビ受像装置では、ユーザの存在を感知すると、ネットワーク通信部１０６が、電源オンの指示を受信し、電源部１０７が、電源をオンし、ユーザＩＤ取得部１１１が、ユーザＩＤを取得し、録画データ取得部１１２が、ユーザＩＤに対する番組ＩＤ及び録画コンテンツを取得し、放送データ取得部１１３が、番組ＩＤに対する放送コンテンツを取得し、コンテンツ切替部１１４が、録画コンテンツに続けて放送コンテンツを出力する。その後、ユーザの不在を感知すると、ネットワーク通信部１０６が、一部電源オフの指示を受信し、電力制御部１１５が、録画機能以外への電力供給を停止し、放送データ出力部１１６が、ユーザＩＤ及び番組ＩＤに対して放送コンテンツを録画する。【選択図】図２
2016111592.tif 000002
【特許請求の範囲】
【請求項１】
自装置の近くにユーザが存在することを示す存在情報を取得する存在情報取得手段と、
前記存在情報の取得に応じて、映像を表示する表示部に電力を供給する電力供給手段と、
他の装置との間で共有される記憶部に記憶された、当該他の装置の近くに前記ユーザが存在していた際に当該他の装置が選択していた放送番組を識別する番組識別情報を、当該記憶部から読み出す読み出し手段と、
前記存在情報の取得に応じて、前記番組識別情報で識別される放送番組の映像を前記表示部に出力する出力手段と
を備えたことを特徴とする放送番組視聴支援装置。
【請求項２】
前記ユーザを識別するユーザ識別情報を取得するユーザ識別情報取得手段を更に備え、
前記読み出し手段は、前記記憶部に前記ユーザ識別情報に関連付けて記憶された前記番組識別情報を、当該記憶部から読み出すことを特徴とする請求項１に記載の放送番組視聴支援装置。
【請求項３】
前記読み出し手段は、前記記憶部に記憶された、前記他の装置の近くに前記ユーザが存在していた際に当該他の装置が選択していた放送番組の映像であって、当該他の装置の近くに当該ユーザが存在しなくなった後に録画された映像である録画映像を、更に当該記憶部から読み出し、
前記出力手段は、前記存在情報の取得に応じて、前記録画映像を更に前記表示部に出力することを特徴とする請求項１に記載の放送番組視聴支援装置。
【請求項４】
前記ユーザを識別するユーザ識別情報を取得するユーザ識別情報取得手段を更に備え、
前記読み出し手段は、前記記憶部に前記ユーザ識別情報に関連付けて記憶された前記録画映像を、当該記憶部から読み出すことを特徴とする請求項３に記載の放送番組視聴支援装置。
【請求項５】
前記出力手段は、前記番組識別情報で識別される放送番組の映像に前記録画映像が追い付いた後は、当該放送番組の映像を前記表示部に出力することを特徴とする請求項３に記載の放送番組視聴支援装置。
【請求項６】
前記番組識別情報で識別される放送番組の映像に前記録画映像が追い付いた後に、前記記憶部から当該録画映像を削除する削除手段を更に備えたことを特徴とする請求項５に記載の放送番組視聴支援装置。
【請求項７】
自装置の近くに前記ユーザが存在しないことを示す不在情報を取得する不在情報取得手段と、
前記不在情報の取得に応じて、前記表示部への電力の供給を停止する電力供給停止手段と、
前記不在情報の取得に応じて、自装置が選択している放送番組を識別する番組識別情報を前記記憶部に書き込む書き込み手段と
を更に備えたことを特徴とする請求項１に記載の放送番組視聴支援装置。
【請求項８】
前記書き込み手段は、前記不在情報の取得に応じて、自装置の近くに前記ユーザが存在していた際に自装置が選択していた放送番組の映像であって、自装置の近くに当該ユーザが存在しなくなった後に録画された映像である録画映像を、更に前記記憶部に書き込むことを特徴とする請求項７に記載の放送番組視聴支援装置。
【請求項９】
映像を表示する第１の表示部を含む第１の表示装置と、
映像を表示する第２の表示部を含む第２の表示装置と、
前記第１の表示装置と前記第２の表示装置との間で共有される記憶装置と
を備え、
前記第１の表示装置は、
自装置の近くにユーザが存在しないことを示す不在情報を取得する不在情報取得手段と、
前記不在情報の取得に応じて、前記第１の表示部への電力の供給を停止する電力供給停止手段と、
前記不在情報の取得に応じて、自装置が選択している放送番組を識別する番組識別情報を前記記憶装置に書き込む書き込み手段と
を備え、
前記第２の表示装置は、
自装置の近くにユーザが存在することを示す存在情報を取得する存在情報取得手段と、
前記存在情報の取得に応じて、前記第２の表示部に電力を供給する電力供給手段と、
前記記憶装置から前記番組識別情報を読み出す読み出し手段と、
前記存在情報の取得に応じて、前記番組識別情報で識別される放送番組の映像を前記第２の表示部に出力する出力手段と
を備えたことを特徴とする放送番組選択支援システム。
【請求項１０】
映像を表示する第１の表示部を含む第１の表示装置が、自装置の近くにユーザが存在しないことを示す不在情報を取得するステップと、
前記第１の表示装置が、前記不在情報の取得に応じて、前記第１の表示部への電力の供給を停止するステップと、
前記第１の表示装置が、前記不在情報の取得に応じて、自装置が選択している放送番組を識別する番組識別情報を、第２の表示装置との間で共有される記憶部に書き込むステップと、
映像を表示する第２の表示部を含む前記第２の表示装置が、自装置の近くにユーザが存在することを示す存在情報を取得するステップと、
前記第２の表示装置が、前記存在情報の取得に応じて、前記第２の表示部に電力を供給するステップと、
前記第２の表示装置が、前記記憶部から前記番組識別情報を読み出すステップと、
前記第２の表示装置が、前記存在情報の取得に応じて、前記番組識別情報で識別される放送番組の映像を前記第２の表示部に出力するステップと
を含むことを特徴とする放送番組選択支援方法。
【請求項１１】
コンピュータに、
自コンピュータの近くにユーザが存在することを示す存在情報を取得する機能と、
前記存在情報の取得に応じて、映像を表示する表示部に電力を供給する機能と、
他のコンピュータとの間で共有される記憶部に記憶された、当該他のコンピュータの近くに前記ユーザが存在していた際に当該他のコンピュータが選択していた放送番組を識別する番組識別情報を、当該記憶部から読み出す機能と、
前記存在情報の取得に応じて、前記番組識別情報で識別される放送番組の映像を前記表示部に出力する機能と
を実現させるためのプログラム。
【発明の詳細な説明】
【技術分野】
【０００１】
本発明は、放送番組視聴支援装置、放送番組視聴支援システム、放送番組視聴支援方法及びプログラムに関する。
【背景技術】
【０００２】
例えば、スポーツの試合の生中継等の放送番組（単に「番組」ともいう）については、可能な限りリアルタイムに視聴したいという要望がある。従って、視聴者は、そのような番組から目を離したくはない。しかしながら、入浴、トイレ、急な来客、別の部屋への移動等、視聴中にどうしても目を離さざるを得ないわずかな時間帯が生じることはある。
【０００３】
そこで、視聴者が目を離さざるを得ない時間帯が生じると、視聴者の不在中に番組を録画し、視聴者が戻って来たら録画した番組を再生する技術が知られている（例えば、特許文献１、２参照）。
【０００４】
特許文献１には、放送中の番組の表示中に、ユーザが第１状態（ユーザが画面を見ている状態）から第２状態（ユーザの顔が検出されない状態、すなわちユーザが席にいない状態、及びユーザが席にはいるが画面を見ていない状態）に切替わったことを判断した場合、記録媒体への番組の録画を開始し、その後、ユーザが第２状態から第１状態に切替わったことを判断した場合、記録媒体に録画された番組を録画を開始したところから再生し表示させる技術が記載されている。
【０００５】
特許文献２には、視聴者が不在と判定された場合に、番組データの録画を開始するとともにこの録画開始位置を再生開始位置に設定し、番組データの録画中に視聴者が存在と判定された場合に、録画状態を維持しつつ再生開始位置から再生する技術が記載されている。
【先行技術文献】
【特許文献】
【０００６】
【特許文献１】特開２０１１−２２３４７２号公報
【特許文献２】特開２０１１−１３０２９１号公報
【発明の概要】
【発明が解決しようとする課題】
【０００７】
しかしながら、特許文献１、２の技術では、視聴者が番組を視聴していたテレビがある部屋に戻って来なければ、録画した番組を再生させることはできない。例えば、視聴者がある部屋のテレビで番組を視聴中に別の部屋へ移動した後、元の部屋に戻らない場合もある。そのような場合、移動先の部屋にテレビがあったとしても、特許文献１、２の技術では、録画した番組を再生することはできない。
【０００８】
また、別の部屋へ移動中に放送された部分は視聴できないにしても、別の部屋へ移動後に、煩雑な操作を行うことなく同じ番組を引き続き視聴することができれば、便利である。従来、別の部屋へ移動後に同じ番組を引き続き視聴するには、移動先の部屋のテレビに電源を投入し、これまで視聴していた番組にチャンネルを合わせる、という煩雑な操作を行わなければならないという課題があった。しかしながら、特許文献１、２の技術は、視聴者が番組を視聴していたテレビがある部屋に戻って来ることを前提としているので、別の部屋へ移動後に移動先の部屋のテレビで同じ番組を引き続き視聴するための手段を開示するものではなく、上記課題を解決することはできない。
【０００９】
尚、家庭のテレビで番組を視聴中に外出し、外出先でスマートフォン等の携帯端末を用いて同じ番組を引き続き視聴する場合にも、同様の課題は生じる。
【００１０】
即ち、従来、番組を視聴するために用いる装置を変更して同じ番組を引き続き視聴するには煩雑な操作を行う必要があった。
【００１１】
本発明の目的は、放送番組を視聴するために用いる装置を変更して同じ放送番組を引き続き視聴する際の操作の煩雑さを軽減することにある。
【００１２】
本発明の他の目的は、放送番組を視聴するために用いる装置を変更する際に視聴できなかった放送番組の映像も視聴可能とすることにある。
【課題を解決するための手段】
【００１３】
かかる目的のもと、本発明は、自装置の近くにユーザが存在することを示す存在情報を取得する存在情報取得手段と、存在情報の取得に応じて、映像を表示する表示部に電力を供給する電力供給手段と、他の装置との間で共有される記憶部に記憶された、他の装置の近くにユーザが存在していた際に他の装置が選択していた放送番組を識別する番組識別情報を、記憶部から読み出す読み出し手段と、存在情報の取得に応じて、番組識別情報で識別される放送番組の映像を表示部に出力する出力手段とを備えた放送番組視聴支援装置を提供する。
【００１４】
ここで、この放送番組視聴支援装置は、ユーザを識別するユーザ識別情報を取得するユーザ識別情報取得手段を更に備え、読み出し手段は、記憶部にユーザ識別情報に関連付けて記憶された番組識別情報を、記憶部から読み出す、ものであってよい。
【００１５】
また、読み出し手段は、記憶部に記憶された、他の装置の近くにユーザが存在していた際に他の装置が選択していた放送番組の映像であって、他の装置の近くにユーザが存在しなくなった後に録画された映像である録画映像を、更に記憶部から読み出し、出力手段は、存在情報の取得に応じて、録画映像を更に表示部に出力する、ものであってよい。その場合、この放送番組視聴支援装置は、ユーザを識別するユーザ識別情報を取得するユーザ識別情報取得手段を更に備え、読み出し手段は、記憶部にユーザ識別情報に関連付けて記憶された録画映像を、記憶部から読み出す、ものであってよい。更に、出力手段は、番組識別情報で識別される放送番組の映像に録画映像が追い付いた後は、放送番組の映像を表示部に出力する、ものであってよい。その場合、この放送番組視聴支援装置は、番組識別情報で識別される放送番組の映像に録画映像が追い付いた後に、記憶部から録画映像を削除する削除手段を更に備えた、ものであってよい。
【００１６】
また、この放送番組視聴支援装置は、自装置の近くにユーザが存在しないことを示す不在情報を取得する不在情報取得手段と、不在情報の取得に応じて、表示部への電力の供給を停止する電力供給停止手段と、不在情報の取得に応じて、自装置が選択している放送番組を識別する番組識別情報を記憶部に書き込む書き込み手段とを更に備えた、ものであってよい。その場合、書き込み手段は、不在情報の取得に応じて、自装置の近くにユーザが存在していた際に自装置が選択していた放送番組の映像であって、自装置の近くにユーザが存在しなくなった後に録画された映像である録画映像を、更に記憶部に書き込む、ものであってよい。
【００１７】
また、本発明は、映像を表示する第１の表示部を含む第１の表示装置と、映像を表示する第２の表示部を含む第２の表示装置と、第１の表示装置と第２の表示装置との間で共有される記憶装置とを備え、第１の表示装置は、自装置の近くにユーザが存在しないことを示す不在情報を取得する不在情報取得手段と、不在情報の取得に応じて、第１の表示部への電力の供給を停止する電力供給停止手段と、不在情報の取得に応じて、自装置が選択している放送番組を識別する番組識別情報を記憶装置に書き込む書き込み手段とを備え、第２の表示装置は、自装置の近くにユーザが存在することを示す存在情報を取得する存在情報取得手段と、存在情報の取得に応じて、第２の表示部に電力を供給する電力供給手段と、記憶装置から番組識別情報を読み出す読み出し手段と、存在情報の取得に応じて、番組識別情報で識別される放送番組の映像を第２の表示部に出力する出力手段とを備えた放送番組選択支援システムも提供する。
【００１８】
更に、本発明は、映像を表示する第１の表示部を含む第１の表示装置が、自装置の近くにユーザが存在しないことを示す不在情報を取得するステップと、第１の表示装置が、不在情報の取得に応じて、第１の表示部への電力の供給を停止するステップと、第１の表示装置が、不在情報の取得に応じて、自装置が選択している放送番組を識別する番組識別情報を、第２の表示装置との間で共有される記憶部に書き込むステップと、映像を表示する第２の表示部を含む第２の表示装置が、自装置の近くにユーザが存在することを示す存在情報を取得するステップと、第２の表示装置が、存在情報の取得に応じて、第２の表示部に電力を供給するステップと、第２の表示装置が、記憶部から番組識別情報を読み出すステップと、第２の表示装置が、存在情報の取得に応じて、番組識別情報で識別される放送番組の映像を第２の表示部に出力するステップとを含む放送番組選択支援方法も提供する。
【００１９】
更にまた、本発明は、コンピュータに、自コンピュータの近くにユーザが存在することを示す存在情報を取得する機能と、存在情報の取得に応じて、映像を表示する表示部に電力を供給する機能と、他のコンピュータとの間で共有される記憶部に記憶された、他のコンピュータの近くにユーザが存在していた際に他のコンピュータが選択していた放送番組を識別する番組識別情報を、記憶部から読み出す機能と、存在情報の取得に応じて、番組識別情報で識別される放送番組の映像を表示部に出力する機能とを実現させるためのプログラムも提供する。
【発明の効果】
【００２０】
本発明によれば、放送番組を視聴するために用いる装置を変更して同じ放送番組を引き続き視聴する際の操作の煩雑さを軽減することが可能となる。
【図面の簡単な説明】
【００２１】
【図１】本発明の実施の形態におけるテレビジョン連携システムの全体構成例を示した図である。
【図２】本発明の実施の形態におけるテレビ受像装置の構成例を示した図である。
【図３】本発明の実施の形態におけるテレビ受像装置の動作例を示したフローチャートである。
【図４】本発明の実施の形態におけるテレビ受像装置の動作例を示したフローチャートである。
【図５】本発明の実施の形態におけるテレビ受像装置の動作例を示したフローチャートである。
【発明を実施するための形態】
【００２２】
［本実施の形態におけるテレビジョン連携システムの全体構成］
図１は、本実施の形態におけるテレビジョン連携システムの全体構成例を示した図である。図示するように、このテレビジョン連携システムは、テレビジョン受像装置（単に「テレビ受像装置」ともいう）１００ａ，１００ｂと、人感センサ２００ａ，２００ｂと、個人識別センサ３００ａ，３００ｂと、録画装置４００とが、ネットワーク８００を介して接続されることにより、構成されている。
【００２３】
また、この構成において、テレビ受像装置１００ａ、人感センサ２００ａ、個人識別センサ３００ａ及び録画装置４００の全部又は一部は、同一機器内にあってもよい。具体的には、人感センサ２００ａ及び個人識別センサ３００ａの両方又は一方は、テレビ受像装置１００ａに組み込まれていてもよく、更に録画装置４００もテレビ受像装置１００に組み込まれていてよい。但し、図１では、人感センサ２００ａ及び個人識別センサ３００ａをテレビ受像装置１００ａの近辺のユーザをセンシングするための独立した装置とし、それらは近隣に存在するものとして、それらが存在する領域を視聴領域Ａとしている。
【００２４】
同様に、テレビ受像装置１００ｂ、人感センサ２００ｂ、個人識別センサ３００ｂ及び録画装置４００の全部又は一部も、同一機器内にあってよい。但し、図１では、人感センサ２００ｂ及び個人識別センサ３００ｂをテレビ受像装置１００ｂの近辺のユーザをセンシングするための独立した装置とし、それらは近隣に存在するものとして、それらが存在する領域を視聴領域Ｂとしている。
【００２５】
尚、図では、テレビ受像装置１００ａ，１００ｂ、人感センサ２００ａ，２００ｂ、個人識別センサ３００ａ，３００ｂを示したが、これらを区別する必要がない場合は、それぞれ、テレビ受像装置１００、人感センサ２００、個人識別センサ３００と称する。また、図には、２つの視聴領域しか示していないが、３つ以上の視聴領域を設け、それぞれに対して、テレビ受像装置１００、人感センサ２００、個人識別センサ３００を設けてもよい。
【００２６】
以下、図１のテレビジョン連携システムの構成要素について説明する。
【００２７】
テレビ受像装置１００は、内蔵のチューナによりデジタルテレビジョン放送を受信し、映像の表示及び音声の出力を行う装置である。また、テレビ受像装置１００は、ネットワーク８００から所定の起動用パケットを送信することで電源をオンするＷＯＬ（Wake On LAN）機能を有することを前提とする。この機能を有していない場合は、消画消音かつ最低限ネットワーク機能は利用可能な状態で待機する機能で代用することもできるが、以下では、ＷＯＬ機能を有するものとして説明を行う。ここで、テレビ受像装置１００としては、所謂家庭用のテレビを用いてもよいが、デジタルテレビジョン放送を受信可能なＰＣ（Personal Computer）や、スマートフォン等の携帯端末を用いてもよい。尚、このテレビ受像装置１００の詳細な構成については、後述する。
【００２８】
人感センサ２００は、赤外線、超音波等によって人を検知するセンサである。ここで、人感センサ２００は、テレビ受像装置１００の外部にある外部装置とし、テレビ受像装置１００とネットワーク８００を介して通信するものとする。その場合、人が存在するようになったことを示す存在情報又は人が不在になったことを示す不在情報を任意のプロトコルによりテレビ受像装置１００に通知する機能を有することを前提とする。但し、人感センサ２００は、上述したように、テレビ受像装置１００に内蔵されていてもよい。
【００２９】
個人識別センサ３００は、個人を識別するセンサである。個人識別センサ３００としては、カメラが例示されるが、個人を識別できれば如何なるセンサでもよい。ここで、個人識別センサ３００は、テレビ受像装置１００の外部にある外部装置とし、テレビ受像装置１００とネットワーク８００を介して通信するものとする。その場合、個人を識別するのに十分な情報（以下ではユーザＩＤを例にとる）を任意のプロトコルによりテレビ受像装置１００に通知する機能を有することを前提とする。但し、個人識別センサ３００は、上述したように、テレビ受像装置１００に内蔵されていてもよい。尚、個人識別技術については、本実施の形態では限定しない。例えば、カメラの画像と登録されたユーザの画像とを比較し、画像の類似度が閾値以上である場合に、ユーザの画像に関連付けられたユーザＩＤを出力する手法等、種々の手法を用いることが考えられる。
【００３０】
録画装置４００は、番組の映像を録画する装置である。ここで、録画装置４００は、テレビ受像装置１００の外部にある外部装置とし、テレビ受像装置１００とネットワーク８００を介して通信するものとする。その場合、録画対象の番組データ（番組のＩＤである番組ＩＤと、番組の映像及び音声のコンテンツである番組コンテンツとを含む）を任意のプロトコルにより受信して録画し、要求された番組データを任意のプロトコルにより送信する機能を有することを前提とする。但し、録画装置４００は、上述したように、テレビ受像装置１００に内蔵されていてもよい。また、録画装置４００がチューナを搭載していてもよい。本実施の形態では、他の装置との間で共有される記憶部の一例として、録画装置４００を設けている。
【００３１】
ネットワーク８００は、これらの機器が互いに通信を行うために用いられる通信手段である。ここで、ネットワーク８００としては、例えば、インターネット、ＷＡＮ（Wide Area Network）、ＬＡＮ（Local Area Network）を用いればよい。また、ネットワーク８００は、有線通信を行うものでもよいし、その全部又は一部で無線通信を行うものでもよい。
【００３２】
［本実施の形態におけるテレビジョン連携システムの動作概要］
（１）視聴領域Ａにユーザが現れると、人感センサ２００ａは人の存在を感知して、テレビ受像装置１００ａに電源オンを指示する通知を行う。
【００３３】
（２）電源オンを指示する通知を受けたテレビ受像装置１００ａは、自身の電源をオンする。
【００３４】
（３）個人識別センサ３００ａは、ユーザが登録されたユーザＸであると判定すると、ユーザＸのユーザＩＤをテレビ受像装置１００ａに通知する。
【００３５】
（４）テレビ受像装置１００ａは、ユーザＩＤに対する嗜好を考慮した上で番組を選択し、その番組を放送している放送局を選局する。但し、テレビ受像装置１００ａによる番組の選択後にユーザＸが別の番組を選択した場合には、ユーザＸが選択した番組の方を優先する。このときユーザＸの嗜好を学習するのであれば、この選択された番組の情報を教師信号として学習に利用してもよい。そして、ここで最終的に選択された番組を視聴番組Ｙとする。
【００３６】
（５）ユーザＸが視聴領域Ａからいなくなると、人感センサ２００ａは人の不在を感知して、テレビ受像装置１００ａに電源オフを指示する通知を行う。
【００３７】
（６）電源オフを指示する通知を受けたテレビ受像装置１００ａは、自身を消画かつ消音の状態とする。つまり、放送を受信して録画装置４００にデータを送信する機能だけをオンにして、その他の機能は全てオフにする。そして、ユーザＩＤと視聴番組Ｙの番組データとを録画装置４００に送信しながら、一定時間待機する。ここで、待機時間としては、初期設定された時間を用いてもよいが、ユーザＸが一定の範囲内で設定した時間を用いてもよい。尚、この録画された番組データを録画データＺとする。
【００３８】
（７）視聴領域Ｂにユーザが現れると、人感センサ２００ｂは人の存在を感知して、テレビ受像装置１００ｂに電源オンを指示する通知を行う。
【００３９】
（８）電源オンを指示する通知を受けたテレビ受像装置１００ｂは、自身の電源をオンする。
【００４０】
（９）個人識別センサ３００ｂは、ユーザが登録されたユーザＸであると判定すると、ユーザＸのユーザＩＤをテレビ受像装置１００ｂに通知する。
【００４１】
（１０）テレビ受像装置１００ｂは、ユーザＩＤに対する録画データＺが録画装置４００に存在するので、録画データＺに含まれる録画コンテンツをタイムシフト再生する。その際、コンテンツの再生速度を１倍よりも大きくして音声付きで再生する。ここで、再生速度としては、初期設定された速度を用いてもよいが、ユーザＸが一定の範囲内で設定した速度を用いてもよい。
【００４２】
（１１）テレビ受像装置１００ｂは、録画コンテンツを再生し終わり、実際の放送に追い付いたら、視聴番組Ｙの表示に切り替える。そして、録画装置４００から録画データＺを削除する。その際、放送を受信して録画装置４００にデータを送信する機能だけがオンになっているテレビ受像装置１００ａは、自身の電源を完全にオフしてもよい。
【００４３】
［本実施の形態におけるテレビ受像装置］
次に、このテレビジョン連携システムの動作概要におけるテレビ受像装置１００ａとしてもテレビ受像装置１００ｂとしても機能するテレビ受像装置１００について説明する。但し、テレビ受像装置１００がスマートフォン等である場合は、上記のテレビ受像装置１００ｂの機能のみ、つまり、録画コンテンツを再生する側の機能のみを備えていることもあり得る。しかしながら、ここでは、一般的な形態として、上記のテレビ受像装置１００ａの機能及び上記のテレビ受像装置１００ｂの機能の両方を備えたテレビ受像装置１００を考えるものとする。
【００４４】
（テレビ受像装置の構成）
図２は、このようなテレビ受像装置１００の構成例を示した図である。図示するように、テレビ受像装置１００は、放送受信部１０１と、デマックス部１０２と、デコーダ１０３と、映像表示部１０４と、音声出力部１０５とを備える。また、ネットワーク通信部１０６と、電源部１０７と、データ処理部１１０とを備える。このうち、データ処理部１１０は、ユーザＩＤ取得部１１１と、録画データ取得部１１２と、放送データ取得部１１３と、コンテンツ切替部１１４と、電力制御部１１５と、放送データ出力部１１６と、再生速度制御部１１７とを更に備える。
【００４５】
放送受信部１０１は、デジタルテレビジョン放送の放送波を受信し、この放送波から取り出した放送データを、データ処理部１１０を経由してデマックス部１０２に出力する。この放送データは、放送された番組データであり、番組ＩＤと、放送コンテンツとを含む。また、放送コンテンツは、映像及び音声の圧縮データを含む。ここで、圧縮データは、例えばＭＰＥＧ−２により圧縮したデータであるものとする。また、放送受信部１０１としては、例えばチューナを用いるとよい。
【００４６】
デマックス部１０２は、放送受信部１０１からデータ処理部１１０を経由して取得した圧縮データを、映像の圧縮データ及び音声の圧縮データに分割し、デコーダ１０３に出力する。
【００４７】
デコーダ１０３は、デマックス部１０２から取得した映像の圧縮データ及び音声の圧縮データをデコードし、映像データを映像表示部１０４に出力すると共に音声データを音声出力部１０５に出力する。
【００４８】
映像表示部１０４は、デコーダ１０３から取得した映像データに基づいて、映像をディスプレイに表示する。本実施の形態では、映像を表示する表示部の一例として、映像表示部１０４を設けている。
【００４９】
音声出力部１０５は、デコーダ１０３から取得した音声データに基づいて、音声をスピーカから出力する。
【００５０】
ネットワーク通信部１０６は、人感センサ２００、個人識別センサ３００及び録画装置４００との間で情報の通信を行う。特に、ネットワーク通信部１０６は、ユーザが存在するようになったことを感知した人感センサ２００から、電源オンを指示する通知を受信し、ユーザが不在になったことを感知した人感センサ２００から、一部電源オフを指示する通知を受信する。本実施の形態では、近くにユーザが存在することを示す存在情報の一例として、電源オンを指示する通知を用いており、存在情報を取得する存在情報取得手段の一例として、ネットワーク通信部１０６を設けている。また、近くにユーザが存在しないことを示す不在情報の一例として、一部電源オフを指示する通知を用いており、不在情報を取得する不在情報取得手段の一例として、ネットワーク通信部１０６を設けている。ここで、ネットワーク通信部１０６としては、例えばネットワークアダプタを用いるとよい。
【００５１】
電源部１０７は、商用電源から供給された電力を、テレビ受像装置１００の各部に供給する。本実施の形態では、表示部に電力を供給する電力供給手段の一例として、電源部１０７を設けている。
【００５２】
次いで、データ処理部１１０の構成要素について説明する。
【００５３】
ユーザＩＤ取得部１１１は、ネットワーク通信部１０６が個人識別センサ３００からユーザＩＤを受信すると、ネットワーク通信部１０６からユーザＩＤを取得し、これを保持しておく。本実施の形態では、ユーザを識別するユーザ識別情報の一例として、ユーザＩＤを用いており、ユーザ識別情報を取得するユーザ識別情報取得手段の一例として、ユーザＩＤ取得部１１１を設けている。
【００５４】
録画データ取得部１１２は、ユーザＩＤ取得部１１１が保持するユーザＩＤに対応する録画データが録画装置４００に記憶されているかどうかをネットワーク通信部１０６を介して判定する。そのような録画データが録画装置４００に記憶されていないと判定すれば、その旨をコンテンツ切替部１１４に伝える。また、そのような録画データが録画装置４００に記憶されていると判定すれば、ネットワーク通信部１０６を介して録画データを取得する。そして、録画データに含まれる番組ＩＤを放送データ取得部１１３に伝え、録画データに含まれる録画コンテンツをコンテンツ切替部１１４に出力し、再生速度制御部１１７に再生速度の制御を指示する。更に、録画データ取得部１１２は、録画コンテンツの再生が放送コンテンツに追い付いた旨がコンテンツ切替部１１４から伝えられると、録画コンテンツの再生が終了したことを示す再生終了情報を、ネットワーク通信部１０６を介して録画装置４００に書き込む。本実施の形態では、放送番組を識別する番組識別情報の一例として、番組ＩＤを用いており、番組識別情報を読み出す読み出し手段の一例として、録画データ取得部１１２を設けている。また、他の装置の近くにユーザが存在していた際に他の装置が選択していた放送番組の映像であって、他の装置の近くにユーザが存在しなくなった後に録画された映像である録画映像の一例として、録画コンテンツを用いており、録画映像を読み出す読み出し手段の一例として、録画データ取得部１１２を設けている。
【００５５】
放送データ取得部１１３は、放送受信部１０１から放送データを取得する。そして、放送データを放送データ出力部１１６に出力し、放送データに含まれる放送コンテンツをコンテンツ切替部１１４に出力する。その際、録画データ取得部１１２から録画データが記憶されていない旨の情報が伝えられていれば、例えばユーザＩＤに対応する嗜好を考慮して番組を決定し、その番組を放送している放送局の選局を放送受信部１０１に指示する。また、ユーザＩＤに対応する録画データに含まれる番組ＩＤが録画データ取得部１１２から伝えられていれば、その番組ＩＤで識別される番組を放送している放送局の選局を放送受信部１０１に指示する。
【００５６】
コンテンツ切替部１１４は、放送データ取得部１１３から放送コンテンツを受け取ると共に録画データ取得部１１２から録画コンテンツを受け取り、デマックス部１０２に出力するコンテンツを切り替える。具体的には、録画データ取得部１１２から録画コンテンツを受け取ると、録画コンテンツをデマックス部１０２に出力する。また、ユーザＩＤに対応する録画データが記憶されていない旨が録画データ取得部１１２から伝えられると、放送データ取得部１１３から受け取った放送コンテンツをデマックス部１０２に出力する。また、コンテンツ切替部１１４は、録画コンテンツの再生が放送コンテンツに追い付いたかどうかを判定し、追い付いた場合は、その旨を録画データ取得部１１２に伝える。本実施の形態では、放送番組の映像を表示部に出力する出力手段の一例として、コンテンツ切替部１１４を設けている。また、録画映像を表示部に出力する出力手段の一例として、コンテンツ切替部１１４を設けている。
【００５７】
電力制御部１１５は、一部電源オフを指示する通知を人感センサ２００から受信した旨がネットワーク通信部１０６から伝えられると、電源部１０７からの電力を、放送受信部１０１、放送データ取得部１１３、放送データ出力部１１６、ネットワーク通信部１０６等の放送データ出力機能に関する部分のみに供給するように制御する。本実施の形態では、表示部への電力の供給を停止する電力供給停止手段の一例として、電力制御部１１５を設けている。
【００５８】
放送データ出力部１１６は、放送データ取得部１１３から受け取った放送データ（番組ＩＤと放送コンテンツとを含む）を、ユーザＩＤ取得部１１１が保持するユーザＩＤに関連付けてネットワーク通信部１０６に出力する。その際、録画装置４００に再生終了情報が記録されておらず、録画装置４００への放送データの出力開始から一定時間が経過していない場合は、放送データのネットワーク通信部１０６への出力を継続する。また、録画装置４００に再生終了情報が記録されている場合、又は、録画装置４００への放送データの出力開始から一定時間が経過した場合は、放送データの録画装置４００への出力を停止し、録画装置４００に記録された録画データを削除する。本実施の形態では、番組識別情報を書き込む書き込み手段の一例として、放送データ取得部１１３を設けている。また、録画映像を書き込む書き込み手段の一例として、放送データ取得部１１３を設けている。更に、録画映像を削除する削除手段の一例として、放送データ取得部１１３を設けている。
【００５９】
再生速度制御部１１７は、コンテンツ切替部１１４が出力した録画コンテンツの倍速再生が行われるためのデコードをデコーダ１０３に指示する。
【００６０】
尚、データ処理部１１０のこれらの構成要素は、例えば、図示しないＣＰＵ（Central Processing Unit）が、図示しないＲＯＭ（Read Only Memory）に記憶されたプログラムを、図示しないＲＡＭ（Random Access Memory）に読み込んで実行することにより、実現される。
【００６１】
（テレビ受像装置の動作）
図３〜図５は、このような構成を備えたテレビ受像装置１００の動作例を示したフローチャートである。
【００６２】
最初、テレビ受像装置１００は、電源がオフされた状態で待機しているものとする。このとき、人感センサ２００が、ユーザが存在するようになったことを感知し、テレビ受像装置１００に電源オンを指示する通知を行ったとする。すると、テレビ受像装置１００では、図３に示すように、まず、ネットワーク通信部１０６が、この通知を受信し（ステップ１２１）、電源部１０７が、ＷＯＬ機能によりテレビ受像装置１００の電源をオンする（ステップ１２２）。これにより、テレビ受像装置１００では、各部が起動する。
【００６３】
その後、個人識別センサ３００が、そのユーザが登録されたユーザであると判定し、テレビ受像装置１００にユーザＩＤを送信してきたとする。すると、テレビ受像装置１００では、ユーザＩＤ取得部１１１が、ネットワーク通信部１０６を介してユーザＩＤを取得し、保持する（ステップ１２３）。
【００６４】
これにより、録画データ取得部１１２が、ネットワーク通信部１０６を介して、録画装置４００にこのユーザＩＤに対応する録画データが記憶されているかどうかを判定する（ステップ１２４）。
【００６５】
まず、録画装置４００にこのユーザＩＤに対応する録画データが記憶されていないと判定された場合について説明する。
【００６６】
その場合は、このユーザＩＤに対応する録画データが記憶されていない旨の情報が録画データ取得部１１２から放送データ取得部１１３へ伝えられ、放送データ取得部１１３が、放送受信部１０１を介して放送データを取得する（ステップ１２５）。ここで、このユーザＩＤに対応する録画データが記憶されていないことから、人感センサ２００で感知されたユーザは、これまで他のテレビ受像装置で何らかの番組を視聴していたわけではないと考えられる。従って、放送データ取得部１１３は、放送受信部１０１に対して、任意の放送局を選局して放送波を受信するように指示する。或いは、ユーザＩＤ取得部１１１がユーザＩＤを保持しているので、このユーザＩＤに予め対応付けられたユーザの嗜好を考慮して放送局を選局してもよい。尚、ここで取得された放送データは放送データ出力部１１６に出力され、ここで取得された放送データに含まれる放送コンテンツはコンテンツ切替部１１４に出力される。
【００６７】
また、このユーザＩＤに対応する録画データが記憶されていない旨の情報はコンテンツ切替部１１４にも伝えられ、コンテンツ切替部１１４が、放送データ取得部１１３から受け取った放送コンテンツをデマックス部１０２に出力する（ステップ１２６）。これにより、デマックス部１０２で、放送コンテンツに含まれる映像及び音声の圧縮データが、映像の圧縮データ及び音声の圧縮データに分割され、デコーダ１０８で、映像の圧縮データ及び音声の圧縮データがデコードされる。そして、映像表示部１０４で、映像データに基づく映像がディスプレイに表示され、音声出力部１０５で、音声データに基づく音声がスピーカに出力される。これにより、ユーザは、現在放送中の映像及び音声をリアルタイムで視聴することになる。
【００６８】
ところが、暫くして、ユーザがテレビ受像装置１００の前からいなくなったとする。つまり、人感センサ２００が、ユーザが不在になったことを感知し、テレビ受像装置１００に一部電源オフを指示する通知を行ったとする。すると、テレビ受像装置１００では、ネットワーク通信部１０６が、この通知を受信したかどうかを判定する（ステップ１２７）。この通知を受信していないと判定すれば、ネットワーク通信部１０６は、ステップ１２５，１２６の処理を繰り返す。つまり、この通知を受信するまで、放送データに基づく映像の表示及び音声の出力を続ける。一方、この通知を受信したと判定すれば、ネットワーク通信部１０６は、電力制御部１１５に制御を移し、処理をステップ１４１へ進める。
【００６９】
すると、図４に示すように、電力制御部１１５は、放送データを録画装置４００に出力する部分以外の部分への電力の供給を停止する（ステップ１４１）。そして、放送データ出力部１１６は、放送データ取得部１１３から受け取った放送データを、ユーザＩＤ取得部１１１が保持するユーザＩＤに関連付けて、ネットワーク通信部１０６を介して録画装置４００に出力する（ステップ１４２）。これにより、録画装置４００には、ユーザＩＤに対応する放送データが録画データとして記憶されることになる。
【００７０】
その後、ユーザは、テレビ受像装置１００と同じ機能を有する別のテレビ受像装置がある別の部屋へ移動するかもしれない。その場合は、後述するように、その別のテレビ受像装置が、録画装置４００に記憶された録画コンテンツを再生するが、再生を終了すると、放送データを録画装置４００に出力する処理は不要となる。そこで、後述するように、その別のテレビ受像装置は、再生を終了したことを示す再生終了情報を録画装置４００に記録する。或いは、ユーザは、テレビ受像装置１００と同じ機能を有する別のテレビ受像装置がある別の部屋へ移動することなく、テレビ受像装置１００の前に戻って来ないかもしれない。その場合は、放送データを録画装置４００に出力する処理がいつまでも続くことになるので、一定時間が経過したらタイムアウトとする。
【００７１】
即ち、放送データ出力部１１６は、録画装置４００に再生終了情報が記録されているかどうかを判定する（ステップ１４３）。そして、録画装置４００に再生終了情報が記録されていないと判定すれば、放送データ出力部１１６は、放送データの録画装置４００への出力を開始してから一定時間が経過したかどうかを判定する（ステップ１４４）。一定時間が経過していないと判定すれば、放送データ出力部１１６は、ステップ１４２の処理を繰り返す。つまり、再生終了情報が記録されるか又は一定時間が経過するまで、放送データの録画装置４００への出力を続ける。一方、ステップ１４３で録画装置４００に再生終了情報が記録されていると判定した場合、又は、ステップ１４４で一定時間が経過したと判定した場合、放送データ出力部１１６は、放送データの録画装置４００への出力を停止し（ステップ１４５）、録画装置４００に記録された録画データを削除する（ステップ１４６）。また、放送データの出力の停止及び録画データの削除が行われた旨の情報はネットワーク通信部１０６から電源部１０７へ伝えられ、電源部１０７が、テレビ受像装置１００の電源を完全にオフする（ステップ１４７）。
【００７２】
次に、ステップ１２４で録画装置４００にこのユーザＩＤに対応する録画データが記憶されていると判定された場合について説明する。
【００７３】
その場合は、図５に示すように、録画データ取得部１１２がネットワーク通信部１０６を介して録画データを取得する（ステップ１６１）。これにより、録画データに含まれる番組ＩＤが録画データ取得部１１２から放送データ取得部１１３へ出力され、放送データ取得部１１３が、放送受信部１０１を介して、この番組ＩＤで識別される番組の放送データを取得する（ステップ１６２）。ここで、放送データ取得部１１３は、放送受信部１０１に対して、番組ＩＤで識別される番組を放送している放送局を選局して放送波を受信するように指示すればよい。尚、ここで取得された放送データに含まれる放送コンテンツはコンテンツ切替部１１４に出力される。
【００７４】
また、録画データに含まれる録画コンテンツが録画データ取得部１１２からコンテンツ切替部１１４へ出力され、コンテンツ切替部１１４が、録画コンテンツをデマックス部１０２に出力する（ステップ１６３）。更に、録画データが取得された旨の情報は録画データ取得部１１２から再生速度制御部１１７へ伝えられ、再生速度制御部１１７が、倍速再生のためのデコードを行うようにデコーダ１０３に指示する（ステップ１６４）。これにより、デマックス部１０２で、録画コンテンツに含まれる映像及び音声の圧縮データが、映像の圧縮データ及び音声の圧縮データに分割され、デコーダ１０８で、映像の圧縮データ及び音声の圧縮データがデコードされる。その際、再生速度制御部１１７の指示により、映像の圧縮データ及び音声の圧縮データは間引かれながらデコードされる。そして、映像表示部１０４で、映像データに基づく映像がディスプレイに表示され、音声出力部１０５で、音声データに基づく音声がスピーカに出力される。これにより、ユーザは、現在よりも少し前に放送された映像及び音声を倍速再生で視聴することになる。
【００７５】
その後、コンテンツ切替部１１４は、録画コンテンツの再生が放送コンテンツに追い付いたかどうかを判定する（ステップ１６５）。この判定は、例えば、録画コンテンツに付随する放送時刻が放送コンテンツに付随する放送時刻に追い付いたかどうかを調べることにより、行えばよい。その結果、録画コンテンツが放送コンテンツに追い付いていないと判定されれば、ステップ１６１〜１６４の処理を繰り返す。一方、録画コンテンツが放送コンテンツに追い付いたと判定すれば、その旨の情報がコンテンツ切替部１１４から録画データ取得部１１２へ伝えられ、録画データ取得部１１２が、再生終了情報を録画装置４００に書き込む（ステップ１６６）。そして、コンテンツ切替部１１４は、録画コンテンツを放送コンテンツに切り替えるために、処理をステップ１２６へ進める。これにより、図３で述べたのと同様に、ユーザは、現在放送中の映像及び音声をリアルタイムで視聴することになる。
【００７６】
［本実施の形態の変形例］
本実施の形態では、録画コンテンツの再生が放送コンテンツに追い付いた場合に、放送データ出力部１１６が録画データを削除するようにした。つまり、録画データを読み込む側のテレビ受像装置１００で録画コンテンツの再生が放送コンテンツに追い付いた場合に、放送データを書き込む側のテレビ受像装置１００が録画データを削除するようにした。しかしながら、録画データを読み込む側のテレビ受像装置１００で録画コンテンツの再生が放送コンテンツに追い付いた場合に、そのテレビ受像装置１００が録画データを削除するようにしてもよい。そして、放送データを書き込む側のテレビ受像装置１００に対して、放送データの書き込みを停止するよう指示してもよい。
【００７７】
また、本実施の形態では、ユーザがテレビ受像装置１００ａの近くを離れてから別のテレビ受像装置１００ｂの近くに移動するまでに一定時間以上経過した場合は、移動先のテレビ受像装置１００ｂが移動元のテレビ受像装置１００ａに追従しないようにした。つまり、これまで視聴していた番組が表示されないようにした。しかしながら、ユーザが意識的に移動先のテレビ受像装置１００ｂの電源をオフした場合にも、移動先のテレビ受像装置１００ｂが移動元のテレビ受像装置１００ａに追従しないようにしてよい。
【００７８】
更に、本実施の形態では、番組ＩＤを番組の識別情報とし、録画装置４００に録画データが記憶されていない場合に、放送受信部１０１が、番組ＩＤで識別される番組を放送している放送局を選局するようにした。これは、例えば、番組ＩＤの一部に放送局を識別する放送局ＩＤを含める方法や、番組ＩＤとその番組ＩＤで識別される番組を放送している放送局の放送局ＩＤとの対応を参照する方法を用いて、実現すればよい。これに対し、番組ＩＤを番組の識別情報とはせずに、番組を放送する放送局の識別情報とすることも考えられる。こうすれば、放送受信部１０１は、番組ＩＤを放送局ＩＤに変換することなく、放送局を選局できる。尚、放送局と時間帯が特定できれば、番組は特定できるので、この場合も、番組ＩＤは、番組を識別する番組識別情報の一例であると言える。
【００７９】
更にまた、本実施の形態では、録画装置４００にユーザＩＤと番組ＩＤと録画コンテンツとを記憶するようにしたが、必ずしもこれら全てを記憶しなくてよい。例えば、ユーザがテレビ受像装置１００の間を移動中に視聴できなかった映像を録画して視聴することまで希望しない場合は、録画装置４００にユーザＩＤと番組ＩＤとを対応付けて記憶するだけでもよい。この場合、図３で、ステップ１２４は、ユーザＩＤに対応する番組ＩＤが録画装置４００に記憶されているかどうかを判定するステップとなる。また、図４で、ステップ１４２は、番組ＩＤをユーザＩＤに関連付けて録画装置４００に出力するステップとなり、ステップ１４３は、実行されず、ステップ１４５は、番組ＩＤの録画装置４００への出力を停止するステップとなり、ステップ１４６は、録画装置４００から番組ＩＤを削除するステップとなる。更に、図５で、ステップ１６１は、録画装置４００から番組ＩＤを取得するステップとなり、ステップ１６３〜１６６は実行されない。
【００８０】
［本実施の形態の効果］
本実施の形態では、人感センサ２００がユーザの存在を検知すると、テレビ受像装置１００は自動で起動して任意の番組を放送している放送局を選局するようにした。そして、その際、個人識別センサ３００がユーザを識別し、テレビ受像装置１００はそのユーザの嗜好を考慮して選局するようにした。これにより、ユーザは、現在放送中の好みの番組に確実に気付くことができるようになった。
【００８１】
また、本実施の形態では、ユーザが移動した際、移動元に存在するテレビ受像装置１００ａと移動先に存在するテレビ受像装置１００ｂとが連携して、移動先のテレビ受像装置１００ｂが自動で起動し、先程まで視聴していた番組を放送している放送局を選局するようにした。これにより、番組視聴中に移動によるわずかなブランクが生じたとしても、ユーザは、おおよその番組内容を把握することができるようになった。
【００８２】
更に、本実施の形態では、テレビ受像装置１００ａ，１００ｂと録画装置４００とが連携することにより、録画装置４００が移動中の未視聴期間を自動録画し、移動先のテレビ受像装置１００ｂが未視聴期間の録画コンテンツをタイムシフト再生（追っかけ再生）するようにした。また、タイムシフト再生中は、音声付きの１．ｘ倍速再生（ｘ＝１〜９）等で可能な限り早く放送に近付け、放送に追い付いたら録画を中止して、録画コンテンツを削除し、現在放送中の番組の映像を表示するようにした。これにより、ユーザは、番組視聴中の移動により視聴できなかった部分を見逃さなくなり、現在放送中の番組をリアルタイムで効率的に全て確認することができるようになった。
【符号の説明】
【００８３】
１００…テレビ受像装置、１０１…放送受信部、１０２…デマックス部、１０３…デコーダ、１０４…映像表示部、１０５…音声出力部、１０６…ネットワーク通信部、１０７…電源部、１１０…データ処理部、１１１…ユーザＩＤ取得部、１１２…録画データ取得部、１１３…放送データ取得部、１１４…コンテンツ切替部、１１５…電力制御部、１１６…放送データ出力部、１１７…再生速度制御部、２００…人感センサ、３００…個人識別センサ、４００…録画装置、８００…ネットワーク
【図１】
2016111592.tif 000003
【図２】
2016111592.tif 000004
【図３】
2016111592.tif 000005
【図４】
2016111592.tif 000006
【図５】
2016111592.tif 000007